(57)【要約】冷却流体温度を検出するセンサを追加することなく、後段のパワーモジュールの異常検出精度を向上可能なインバータ装置の異常検出方法を提供する。第１インバータ温度（ｔｉｎ１）、第２インバータ温度（ｔｉｎ２）、冷却水温（ｔｗ）を読み込むステップ（Ｓ１）と、前段の第１インバータ装置（１０）について第１インバータ温度（ｔｉｎ１）と冷却水温（ｔｗ）との第１温度差（Δｔ１）に基づいて異常の有無を判定するステップ（Ｓ３）と、後段の第２インバータ装置（２０）について冷却水温（ｔｗ）に第１インバータ装置（１０）の損失分を換算した温度（加算値Ｔａｄ）を加算した加算温度（ｔｗａ）と第２インバータ温度（ｔｉｎ２）との第２温度差（Δｔ２）に基づいて異常の有無を判定するステップ（Ｓ６）と、を備えることを特徴とするインバータ装置の異常検出方法とした。
2017203693.tif 000002
【特許請求の範囲】
【請求項１】
電力を変換して伝送する複数の電力変換部と、前記複数の電力変換部を通り各電力変換部の冷却を行う冷却流路と、を備えた電力変換装置の温度異常検出方法であって、
前記電力変換部の温度を検出するとともに、これら電力変換部よりも上流の前記冷却流路の冷却流体の温度を検出し、
前記複数の電力変換部のうち、前記冷却流路の上流側に配置された前段の電力変換部については、この電力変換部の温度と前記冷却流体の温度との差分に基づいて異常の有無を判定し、
前記前段の電力変換部よりも前記冷却流路の下流に配置された後段の電力変換部については、前記冷却流体の温度に前記前段の電力変換部の損失分を温度に換算して加算した温度と、前記後段の電力変換部の温度と、の差分に基づいて異常の有無を判定することを特徴とする電力変換装置の温度異常検出方法。
【請求項２】
請求項１に記載の電力変換装置の温度異常検出方法において、
前記損失分を換算した温度として、前記前段の電力変換部で想定される最大損失から換算した温度に基づいて設定した値を使用することを特徴とする電力変換装置の温度異常検出方法。
【請求項３】
請求項１に記載の電力変換装置の温度異常検出方法において、
前記損失分を換算した温度として、前記前段の電力変換部における電流、キャリア周波数、半導体特性の少なくともいずれか一つを含む損失演算情報に基づいて演算した値を使用することを特徴とする電力変換装置の温度異常検出方法。
【請求項４】
請求項１に記載の電力変換装置の温度異常検出方法において、
前記損失分の温度として、前記前段の電力変換部の温度と前記冷却流体の温度との差分に基づいて推定した値を使用する
ことを特徴とする電力変換装置の温度異常検出方法。
【請求項５】
電力を変換して伝送する複数の電力変換部と、
前記複数の電力変換部を通り各電力変換部の冷却を行う冷却流路と、
前記複数の電力変換部の温度を検出する電力変換部温度センサと、
前記複数の電力変換部よりも上流の前記冷却流路の冷却流体の温度を検出する冷却流体温度センサと、
前記冷却流体温度と、前記冷却流路の上流側に配置された前段の電力変換部の温度との差分を求める前段温度差演算部と、
前記前段温度差演算部が求めた差分に基づいて異常判定を行う前段電力変換部異常検出部と、
前記前段の電力変換部の損失分の損失分を温度に換算して前記冷却流体温度に加算する温度加算部と、
前記温度加算部が算出した温度と、前記前段の電力変換部よりも前記冷却流路の下流に配置された後段の電力変換部の温度との差分を求める後段温度差演算部と、
前記後段温度差演算部が演算した差分に基づいて異常判定を行う後段電力変換部異常検出部と、
を備えることを特徴とする電力変換装置の異常検出装置。
【発明の詳細な説明】
【技術分野】
【０００１】
本発明は、電力変換装置の温度異常検出方法および電力変換装置の温度異常検出装置に関する。
【背景技術】
【０００２】
従来、インバータ装置のような電力変換装置において、冷却水を循環させる冷却流路を備え、過熱から保護するととともに、電力変換装置あるいは冷却流路の温度異常を検出するようにしたものが知られている（例えば、特許文献１参照）。
この従来技術では冷却水の温度と電力変換装置の温度との差分と温度閾値との比較を行うとともに、指示トルク信号の変動幅とトルク変動幅閾値との比較を行う。そして、指示トルク信号の変動幅がトルク変動幅閾値を下回るとともに、温度の差分値が温度閾値を上回る状態が、所定時間を越えて継続したら、異常と判断するようにしている。
【先行技術文献】
【特許文献】
【０００３】
【特許文献１】特開２０１１−１７２４０６号公報
【発明の概要】
【発明が解決しようとする課題】
【０００４】
近年、車両などでは、上記のようなインバータ装置などの電力変換装置が、複数搭載される場合がある。
しかしながら、電力変換装置のそれぞれに上述の従来技術を適用した場合、電力変換装置のそれぞれに冷却流路を設け、さらに、各電力変換装置および冷却水の温度をそれぞれ検出し温度異常検出を行うことになり、温度センサおよび冷却流路の数が多くなる。この場合、コストアップおよび設置スペースの拡大を招く。【０００５】
本発明は、上記問題に着目してなされたもので、冷却流路および温度センサの数を削減してコストダウンおよびコンパクト化を図ることが可能な電力変換装置の温度異常検出方法および電力変換装置の温度異常検出装置を提供することを目的とする。
【課題を解決するための手段】
【０００６】
本発明の電力変換装置の温度異常検出方法は、複数の電力変換部の温度を検出する一方で、冷却流体の温度は、これら電力変換部よりも上流の冷却流体の温度のみを検出するようにした。
そして、冷却流路の上流側に配置された前段の電力変換部については、この電力変換部の温度と前記冷却流体の温度との差分に基づいて異常の有無を判定する。
一方、冷却流路の下流に配置された後段の電力変換部については、冷却流体の温度に前段の電力変換部の損失分を温度に換算して加算した温度と、後段の電力変換部の温度と、の差分に基づいて異常の有無を判定するようにした。
【発明の効果】
【０００７】
本発明の電力変換装置の温度異常検出方法にあっては、後段の電力変換部の上流の冷却流体温度の検出が不要であり、必要な温度センサの数を削減できる。よって、温度センサおよび冷却流路の数を削減し、コストダウンおよび設置スペースのコンパクト化を図ることができる。
【図面の簡単な説明】
【０００８】
【図１】実施の形態１の温度異常検出方法を適用した電力変換装置の概略を示す全体図である。
【図２】前記電力変換装置による異常判定処理の流れを示すフローチャートである。
【図３】実施の形態２の温度異常検出方法を適用した電力変換装置の概略を示す全体図である。
【図４】実施の形態２の温度異常検出方法を適用した電力変換装置の概略を示す全体図である。
【図５】実施の形態３の電力変換装置の概略を示す全体図である。
【図６】実施の形態４の電力変換装置の概略を示す全体図である。
【発明を実施するための形態】
【０００９】
以下、本発明の電力変換装置の異常検出方法を実現する最良の形態を、図面に示す実施の形態に基づいて説明する。
（実施の形態１）
以下、実施の形態１の電力変換装置の温度異常検出方法および電力変換装置について説明する。
（インバータ装置を備えた駆動系の全体構成）
まず、実施の形態１の温度異常検出方法を適用した電力変換装置Ａの構成を図１に基づいて説明する。
【００１０】
図１に示す電力変換装置Ａは、第１発電電機１を駆動させる第１インバータ装置（電力変換部）１０および第２発電電機２を駆動させる第２インバータ装置（電力変換部）２０を備える。
【００１１】
第１発電電機１および第２発電電機２は、図示を省略した電気自動車やハイブリッド車両などに搭載されている。
なお、両発電電機１，２の用途は、特に限定されるものではない。例えば、両発電電機１，２を、図示を省略した駆動輪に駆動力を与える駆動源として用いてもよい。あるいは、両発電電機１，２の一方を前記駆動源として用い、もう一方を、図示を省略したエンジンなどの駆動源により駆動して発電を行う発電機として用いてもよい。
【００１２】
両インバータ装置１０，２０は、電力変換装置Ａを収容するケーシングＣＡに搭載されている。
第１インバータ装置１０は、バッテリ３からの電力である直流電流を交流電流に変換して第１発電電機１に供給し第１発電電機１を駆動し、また、第１発電電機１が発電した交流電流を直流電流に変換してバッテリ３に供給し充電する。
【００１３】
なお、第１インバータ装置１０は、図示を省略するが、ＩＧＢＴモジュールなどのパワーモジュールや平滑コンデンサを内部に備える。また、バッテリ３として、電圧制御範囲が数百ボルト程度の二次電池（リチウムイオン二次電池やニッケル水素電池等）を採用している。
【００１４】
第２インバータ装置２０も、第１インバータ装置１０と同様に、バッテリ３からの直流電流を交流電流に変換して第２発電電機２に供給可能であり、また、第２発電電機２が発電した交流電流を直流電流に変換しバッテリ３に充電可能とするものである。この第２インバータ装置２０も、図示を省略するが、パワーモジュールや平滑コンデンサを内部に備える。
【００１５】
さらに、第１インバータ装置１０、第２インバータ装置２０は、それぞれ、内部のパワーモジュールなどの発熱部の温度を検出する第１インバータ温度センサ１１、第２インバータ温度センサ１２を内蔵している。
【００１６】
さらに、電力変換装置Ａは、冷却装置３０を備える。
この冷却装置３０は、冷却水路３１と放熱器３２とポンプ３３と循環路３４とを備え、冷却水Ｗを循環させ両インバータ装置１０，２０を冷却する。
【００１７】
冷却水路３１は、ケーシングＣＡに形成され、第１の端部の流入口３１ａから、第１インバータ装置１０（前段の電力変換部）、第２インバータ装置２０（前段の電力変換部）、を順に通り、第２の端部の流出口３１ｂに至る流路である。
【００１８】
冷却水路３１には、流出口３１ｂから流入口３１ａに至る流路であって、途中に放熱器３２とポンプ３３とを備えた循環路３４が接続されている。ポンプ３３は、流出口３１ｂから冷却水Ｗを吸入し、流入口３１ａに圧送し、冷却水Ｗを循環させる。放熱器３２は、冷却水Ｗの熱を外気に放熱して冷却水Ｗを冷却する。
【００１９】
さらに、冷却水路３１において第１インバータ装置１０よりも上流の流入口３１ａの付近に水温センサ４０が設けられている。
そして、この水温センサ４０と、前述の第１インバータ温度センサ１１および第２インバータ温度センサ１２の検出信号が、第１コントローラ５１および第２コントローラ５２に入力される。
【００２０】
第１コントローラ５１は、第１インバータ装置１０の温度異常を検出し、第２コントローラ５２は、第２インバータ装置２０の温度異常を検出する。
【００２１】
次に、第１コントローラ５１と第２コントローラ５２の構成について説明する。
第１コントローラ５１は、第１温度差演算部５１ａと第１異常検出部５１ｂとを備える。
第１温度差演算部５１ａは、第１インバータ温度センサ１１が検出する第１インバータ温度ｔｉｎ１と水温センサ４０が検出する冷却水温ｔｗとを入力し、両者の差である第１温度差Δｔ１（ｔｉｎ１＝ｔｗ）を演算する。
【００２２】
第１異常検出部５１ｂは、第１温度差Δｔ１が予め設定された第１異常判定温度ｔｌｉｍ１よりも大きい場合に異常と判定し、第１温度差Δｔ１が第１異常判定温度ｔｌｉｍ１以下の場合は、異常ではないと判定する。すなわち、冷却装置３０に異常が生じたり、第１インバータ装置１０に異常が生じて異常発熱したりした場合は、第１インバータ温度ｔｉｎ１と冷却水温ｔｗとの差である第１温度差Δｔ１が大きくなる。そこで、第１異常判定温度ｔｌｉｍ１は、異常発生時の実測やシミュレーションなどに基づいて、異常発生を判定することができる値に設定されている。
【００２３】
第２コントローラ５２は、第２温度差演算部５２ａと第２異常検出部５２ｂと温度加算部５２ｃとを備える。
温度加算部５２ｃは、第１インバータ装置１０の動作時の損失を冷却水温ｔｗの上昇温度に換算した値を加算値Ｔａｄとし、これを水温センサ４０が検出する冷却水温ｔｗに加算した加算温度ｔｗａを求める。この損失による上昇温度として、実施の形態１では、第１インバータ装置１０において想定される最大損失時の第１インバータ装置１０の発熱により冷却水温ｔｗが上昇する温度に設定している。なお、最大損失時として、例えば、第１発電電機１のロック時を挙げることができる。このロック時とは、例えば、車両を前進させようとしているのに、車輪が車止めに当たるなどして前進できない場合であって、すなわち、第１発電電機１に通電し駆動させているのに第１発電電機１に回転が生じない場合である。
【００２４】
このようなロック時に、第１発電電機１の損失エネルギーは最大となり、熱エネルギーとして損失される。そして、冷却水温ｔｗに加算する加算値Ｔａｄは、実際にこのようなロック状態を再現し、その際の、冷却水温ｔｗと第１発電電機１に対する指令値と、その際の冷却水温ｔｗの上昇温度（加算値Ｔａｄ）との関係を、例えば、マップや演算式の形で第１コントローラ５１に記憶しておく。したがって、温度加算部５２ｃは、加算時の冷却水温ｔｗと指令値とから加算値Ｔａｄを求め、これを冷却水温ｔｗに加算し、加算温度ｔｗａを求める。
【００２５】
第２温度差演算部５２ａは、第２インバータ温度ｔｉｎ２と加算温度ｔｗａとを入力し、両者の差である第２温度差Δｔ２を演算する。
第２異常検出部５２ｂは、第２温度差Δｔ２が予め設定された第２異常判定温度ｔｌｉｍ２よりも大きい場合に異常と判定し、第２温度差Δｔ２が第２異常判定温度ｔｌｉｍ２以下の場合は、異常ではないと判定する。なお、この第２異常判定温度ｔｌｉｍ２は、第２発電電機２および第２インバータ装置２０に応じて設定されており、第１異常判定温度ｔｌｉｍ１とは、必ずしも同じ値ではない。
【００２６】
次に、第１コントローラ５１および第２コントローラ５２による異常判定処理の流れを図２のフローチャートに基づいて説明する。なお、この異常判定処理は、予め設定された制御周期毎に繰り返し行われる。
【００２７】
最初のステップＳ１では、両コントローラ５１，５２において、第１インバータ温度センサ１１、第２インバータ温度センサ１２、水温センサ４０から、それぞれ、検出温度である第１インバータ温度ｔｉｎ１、第２インバータ温度ｔｉｎ２、冷却水温ｔｗを読み込む。
【００２８】
次のステップＳ２では、第１温度差演算部５１ａにおいて第１インバータ温度ｔｉｎ１と冷却水温ｔｗとの差分である第１温度差Δｔ１を演算し、ステップＳ３に進む。
【００２９】
ステップＳ３では、第１異常検出部５１ｂにおいて、第１温度差Δｔ１が第１異常判定温度ｔｌｉｍ１よりも大きいか否かにより第１インバータ装置１０と冷却系統とのいずれかの異常の有無を判定する。そして、Δｔ１＞ｔｌｉｍ１により異常と判定した時には、ステップＳ７に進み、Δｔ１≦ｔｌｉｍ１により非異常（正常）と判定した時は、ステップＳ４に進む。
【００３０】
第１異常検出部５１ｂにおいて非異常（正常）と判定した場合に進むステップＳ４では、温度加算部５２ｃにおいて、冷却水温ｔｗに、第１インバータ装置１０の動作時の損失分の加算値Ｔａｄを加算して加算温度ｔｗａを求め、ステップＳ５に進む。
【００３１】
ステップＳ５では、第２温度差演算部５２ａにおいて、第２インバータ温度ｔｉｎ２と加算温度ｔｗａとの差分である第２温度差Δｔ２を演算し、ステップＳ６に進む。
【００３２】
ステップＳ６では、第２異常検出部５２ｂにおいて、第２温度差Δｔ２が第２異常判定温度ｔｌｉｍ２よりも大きいか否かにより第２インバータ装置２０と冷却系統とのいずれかの異常の有無を判定する。そして、Δｔ２＞ｔｌｉｍ２により異常と判定した時には、ステップＳ７に進み、Δｔ２≦ｔｌｉｍ２により非異常（正常）と判定した時は、１回の異常判定処理を終える。
【００３３】
ステップＳ３、ステップＳ６のいずれかで異常と判定された場合に進むステップＳ７では、予め設定されたフェール処理を実行する。このフェール処理としては、両発電電機１，２の発熱を抑える処理であればどのような処理であってもよいが、例えば、両発電電機１，２いずれかの出力を所定量だけ抑えたり、停止させたりする処理とすることができる。
【００３４】
（実施の形態１の作用）
次に、実施の形態１の作用について説明する。
各インバータ装置１０，２０を駆動させると、図示を省略したパワーモジュールやスイッチング素子に損失が生じ、その損失分の熱が発生し、各インバータ温度ｔｉｎ１，ｔｉｎ２が上昇する。また、その各インバータ装置１０，２０は、冷却装置３０により冷却され、これに伴い、冷却水路３１では、第１インバータ装置１０の発熱により冷却水温ｔｗが上昇し、この上昇した冷却水温ｔｗは、さらに第２インバータ装置２０の発熱により上昇する。この温度が上昇した冷却水は、放熱器３２で放熱を行って冷却された後、再び、冷却水路３１に供給される。
【００３５】
ここで、冷却装置３０に異常が生じた場合や、各インバータ装置１０，２０のパワーモジュールやスイッチング素子が異常発熱した場合、冷却水路３１の冷却水温ｔｗと各インバータ温度ｔｉｎ１、ｔｉｎ２との温度差が大きくなる。
【００３６】
そこで、各インバータ温度ｔｉｎ１、ｔｉｎ２と冷却水温ｔｗとの温度差を正確に検出するには、第１インバータ装置１０の発熱により上昇した冷却水温を検出する水温センサを追加する必要がある。
【００３７】
しかしながら、その場合、水温センサの数が増加し、コストアップを招く。加えて、水温センサを、電力変換装置ＡのケーシングＣＡに形成した冷却水路３１内に設ける必要があり、設置に手間を要する。特に、この冷却水路３１が、ケーシングＣＡとは独立した管路等であれば、設置も比較的楽ではあるが、ケーシングＣＡに一体に形成されている場合、正確に冷却水温ｔｗを検出可能であり、かつ、高いシール性を確保して設置するのが難しい。
【００３８】
一方、第２インバータ装置２０の異常判定を、第２インバータ温度ｔｉｎ２と、実際の第２インバータ装置２０の冷却水温よりも低い水温センサ４０が検出する冷却水温ｔｗとの差分に基づいて行った場合、この差分は実際の差分よりも大きな値となる。このため、異常判定精度が低下し、かつ、異常と誤判定されてフューエル処理が実行される可能性が高くなる。すなわち、異常検出精度が低下するとともに、電力変換装置Ａの動作範囲が狭くなるおそれが生じる。
【００３９】
それに対し、本実施の形態１では、第２インバータ装置２０の異常判定には、水温センサ４０が検出する冷却水温ｔｗに、第１インバータ装置１０の損失分を換算した加算値Ｔａｄを用いる。このため、第２インバータ装置２０における第２インバータ温度ｔｉｎ２と冷却水温との第２温度差（Δｔ２）が、水温センサ４０が検出する冷却水温ｔｗをそのまま用いる場合よりも正確になり、異常検出精度が向上する。また、水温の検出は、冷却水路３１の上流の水温センサ４０のみにより行うため、別途、電力変換装置Ａ内に水温センサを追加するものと比較して、コストを抑えることができる。
【００４０】
加えて、温度加算部５２ｃでは、実測値を元に予め設定された加算値Ｔａｄを用いるため、第２コントローラ５２の温度加算部５２ｃの構成の簡略化を図り、コストを抑えることができる。また、加算値Ｔａｄとして第１インバータ装置１０で想定される最大損失による温度に基づいて設定した値を使用する。このため、実際の第１インバータ装置１０の発熱による冷却水Ｗの上昇温度が、加算値Ｔａｄを上回ることもなく、異常が発生しているのに、正常と判定する誤判定を抑えることができる。
【００４１】
（実施の形態１の効果）
以下に、実施の形態１の効果を列挙する。
１）実施の形態１の電力変換装置Ａの温度異常検出方法は、
電力を変換して伝送する複数の電力変換部としての第１インバータ装置１０、第２インバータ装置２０と、両インバータ装置１０，２０を通り各インバータ装置１０，２０の冷却を行う冷却水路３１と、を備えた電力変換装置Ａの温度異常検出方法であって、
両インバータ装置１０，２０の温度（第１インバータ温度ｔｉｎ１、第２インバータ温度ｔｉｎ２）を検出するとともに、両インバータ装置１０，２０よりも上流の冷却水路３１の冷却水の温度（冷却水温ｔｗ）を検出してこれらを読み込むステップ（Ｓ１）と、
両インバータ装置１０，２０のうち、冷却水路３１の上流側に配置された前段の電力変換部としての第１インバータ装置１０については、第１インバータ温度ｔｉｎ１と冷却水温ｔｗとの第１温度差Δｔ１に基づいて異常の有無を判定するステップ（Ｓ３）と、
第１インバータ装置１０よりも下流に配置された後段の電力変換部としての第２インバータ装置２０については、冷却水温ｔｗに第１インバータ装置１０の損失分を換算した温度（加算値Ｔａｄ）を加算した加算温度ｔｗａを求め（ステップＳ４）、この加算温度ｔｗａと第２インバータ温度ｔｉｎ２との第２温度差Δｔ２を求め（ステップＳ５）、この第２温度差Δｔ２に基づいて異常の有無を判定するステップ（Ｓ６）と、
を備えることを特徴とする。
したがって、電力変換部として第１、第２インバータ装置１０，２０を搭載した電力変換装置Ａにおいて、水温センサ４０の数を「１」としてコストを抑えつつ、両インバータ装置１０，２０および冷却系統の異常検出を高精度で行うことが可能となる。
【００４２】
２）実施の形態１の電力変換装置Ａの温度異常検出方法において、
損失分を換算した温度（加算値Ｔａｄ）として、第１インバータ装置１０で想定される最大損失による温度に基づいて設定した値を使用することを特徴とする。
したがって、温度加算部５２ｃにおける演算を簡略化してコストを抑えることができ、かつ、異常が発生しているのに、正常と判定する誤検出を抑えることができ、高い検出精度を得ることができる。
【００４３】
３）実施の形態１の電力変換装置Ａの温度異常検出装置は、
電力を変換して伝送する複数の電力変換部としての第１インバータ装置１０および第２インバータ装置２０と、
両インバータ装置１０，２０を通り各インバータ装置１０，２０の冷却を行う冷却水路３１と、
各インバータ装置１０，２０の温度を検出する電力変換部温度センサとしての第１インバータ温度センサ１１および第２インバータ温度センサ１２と、
両インバータ装置１０，２０よりも上流の冷却水路３１の冷却水の温度を検出する水温センサ４０と、
冷却水温ｔｗと、第１インバータ装置１０の温度である第１インバータ温度ｔｉｎ１との差分である第１温度差Δｔ１を求める前段温度差演算部としての第１温度差演算部５１ａと、
第１温度差演算部５１ａが求めた第１温度差Δｔ１分に基づいて異常判定を行う前段電力変換部異常検出部としての第１異常検出部５１ｂと、
第１インバータ装置１０の損失分を温度に換算して冷却水温ｔｗに加算する温度加算部５２ｃと、
温度加算部５２ｃが算出した加算温度ｔｗａと、第２インバータ温度ｔｉｎ２との差分である第２温度差Δｔ２を求める後段温度差演算部としての第２温度差演算部５２ａと、
第２温度差演算部５２ａが演算した第２温度差Δｔ２に基づいて異常判定を行う後段電力変換部異常検出部としての第２異常検出部５２ｂと、
を備えることを特徴とする。
したがって、電力変換部として第１、第２インバータ装置１０，２０を搭載した電力変換装置Ａにおいて、水温センサ４０の数を「１」としてコストを抑えつつ、両インバータ装置１０，２０および冷却系統の異常検出を高精度で行うことが可能となる。
【００４４】
（他の実施の形態）
次に、他の実施の形態の電力変換装置の温度異常検出方法および温度異常検出装置について説明する。
なお、他の実施の形態の説明において、他の実施の形態と共通する構成には当該実施の形態と同じ符号を付して説明を省略し、当該実施の形態との相違点のみ説明する。
【００４５】
（実施の形態２）
実施の形態２は、第１インバータ装置１０の損失分を温度に換算して冷却水温ｔｗに加算する加算値の求め方を実施の形態１と異ならせた例である。
すなわち、実施の形態２では、第１インバータ装置１０の損失分を換算した温度として、第１インバータ装置１０に供給される電流、キャリア周波数、半導体特性を含む損失演算情報に基づいて演算した値を使用するようにした。
【００４６】
図３は、実施の形態２の温度異常検出方法を適用した電力変換装置Ｂの概略を示す全体図である。
図３に示す第２コントローラ２５２の温度加算部２５２ｃは、損失分の温度である加算値として、第１コントローラ２５１に設けられた損失演算部２００により演算された加算値を用いる。
【００４７】
また、損失演算部２００は、加算値Ｔａｄを、第１インバータ装置１０における電流Ｉ、キャリア周波数ｆ、半導体特性を含む損失演算情報に基づいて演算する。
なお、第１インバータ装置１０は、周知のブリッジ接続した絶縁ゲートバイポーラトランジスタ（Insulated Gate Bipolar Transistor、以下、IGBTと称する）、ならびに、ダイオード（Free Wheeling Diode、以下、FWDと称する）を備える。
【００４８】
そこで、第１インバータ装置１０のIGBTにおける定常損失を、下記の式（１）により求め、IGBTのスイッチング損失を下記の式（２）により求める。
また、第１インバータ装置１０のFWDにおける定常損失を、下記の式（３）により求め、FWDにおけるスイッチング損失を下記の式（４）により求める。
そして、これらの値から第１インバータ装置１０のパワーモジュール損失を、下記の式（５）により求める。
［式１］
2017203693.tif 000003
［式２］
2017203693.tif 000004
［式３］
2017203693.tif 000005
［式４］
2017203693.tif 000006
［式５］
2017203693.tif 000007
Ic;IGBTのスイッチング素子電流（第１発電電機電流）
Vce(sat)；IGBTのスイッチング素子のON電圧
D；PWM変調率
Esw;IGBTの1pulseあたりのスイッチング損失
ｆ；PWMキャリア周波数
N(I)；IGBTチップ数
N(F)；FWDチップ数
Vf: FWDのスイッチング素子のON電圧
Err;FWDの1pulseあたりのスイッチング損失
【００４９】
さらに、上述の式から得られた第１インバータ装置１０の損失（パワーモジュール損失Ｐ（ＰＭ））を温度に換算し、さらに冷却水の上昇温度に相当する加算値Ｔａｄを演算する。
なお、この加算値Ｔａｄは、予め繰り返し実験を行って、パワーモジュール損失Ｐ（ＰＭ）と冷却水温ｔｗとに応じて得られるように設定したテーブルあるいは演算式を用いて求める。
【００５０】
また、温度加算部２５２ｃでは、水温センサ４０が検出する冷却水温ｔｗに、加算値Ｔａｄを加算するもので、その演算自体は実施の形態１で示した温度加算部５２ｃと同様である。
【００５１】
したがって、実施の形態２では、第１インバータ装置１０の実際の損失による発熱により冷却水Ｗの温度上昇により近い値を加算値Ｔａｄとすることができ、これにより、異常検出精度がより高いものとなる。
【００５２】
（実施の形態２の効果）
2-1）実施の形態２の電力変換装置Ｂの温度異常検出方法は、
温度加算部２５２ｃは、冷却水温ｔｗに加算する損失分を換算した温度である加算値Ｔａｄとして、第１インバータ装置１０のパワーモジュールにおける電流Icや電圧Vce(sat)、キャリア周波数ｆ、半導体特性としてのPWM変調率Ｄ， IGBTチップ数N(I)、FWDチップ数N(F) を含む損失演算情報に基づいて演算した値を使用することを特徴とする。
したがって、第１インバータ装置１０の動作状態に応じた最適の加算値Ｔａｄを求めることができ、より精度の高い異常検出を行うことができる。
なお、加算値Ｔａｄは、電流Ic、電圧Vce(sat)、半導体特性（キャリア周波数ｆ、PWM変調率Ｄ，IGBTチップ数N(I)、FWDチップ数N(F)）のいずれかに基づいて求めることができる。
【００５３】
（実施の形態３）
実施の形態３は、第１インバータ装置１０の損失分を温度に換算して冷却水温ｔｗに加算する加算値Ｔａｄの求め方を実施の形態１、２と異ならせた例である。
【００５４】
すなわち、実施の形態３では、第１インバータ装置１０の損失分を温度に換算して加算する加算値Ｔａｄとして、第１インバータ装置１０の温度と、冷却水温ｔｗとの第１温度差Δｔ１に基づいて推定した値を使用するようにした。
【００５５】
図４は、実施の形態３の温度異常検出方法を適用した電力変換装置Ｃの概略を示す全体図である。
図４に示す第２コントローラ３５２の第２温度差演算部３５２ａは、損失推定部３００が推定した加算温度ｔｗａ３と第２インバータ温度ｔｉｎ２との第２温度差Δｔ２を演算する。
【００５６】
ここで損失推定部３００は、第１温度差演算部５１ａが演算した第１温度差Δｔ１を入力し、この第１温度差Δｔ１から第１インバータ装置１０の損失を逆算する。さらに、損失推定部３００は、この損失分による冷却水の温度上昇分に相当する加算値を推定し、これを冷却水温ｔｗに加算した加算温度ｔｗａ３を演算する。なお、この加算値の推定は、予め第１温度差Δｔ１およびその時の第１発電電機１の駆動状態（例えば、力行、回生、ロックなど）に応じた値が、マップの状態で第１コントローラ５１に記憶されている。
なお、第２温度差演算部３５２ａは、この加算温度ｔｗａ３と第２インバータ温度ｔｉｎ２との第２温度差Δｔ２を演算する。
【００５７】
このように、実施の形態３では、第１温度差Δｔ１に基づいて、推定した第１インバータ装置１０の損失分に応じた冷却水の温度上昇を推定する。
したがって、加算温度ｔｗａ３として、実際の第２インバータ装置２０における冷却水温を求めることができ、これにより、異常検出精度がより高いものとなる。
【００５８】
（実施の形態３の効果）
3-1）実施の形態３の電力変換装置Ｃの温度異常検出方法は、
第２温度差演算部３５２ａにおいて加算する損失分の温度として、第１インバータ装置１０の温度である第１インバータ温度ｔｉｎ１と冷却水温ｔｗとの差分である第１温度差Δｔ１に基づいて推定した値を使用することを特徴とする。
すなわち、第１インバータ温度ｔｉｎ１と冷却水温ｔｗとの差分により第１インバータ装置１０の発熱状態を推定し、これにより、高い精度で加算値を求めることができる。よって、この高精度の加算値に基づいて、第２インバータ装置２０における冷却水温を高精度で推定し、これに基づいて高精度で異常検出を行うことができる。
【００５９】
（実施の形態４）
実施の形態４の電力変換装置Ｄは、実施の形態１の変形例であり、図５に示すように、冷却水路３１の後段に第３発電電機（図示省略）を駆動させる第３インバータ装置４３０を追加した例である。
【００６０】
この第３インバータ装置４３０の異常判定を行う第３コントローラ４５３は、第３温度差演算部４５３ａ、第３異常検出部４５３ｂ、温度加算部４５３ｃを備える。
温度加算部４５３ｃは、第１インバータ装置１０の動作時の損失および第２インバータ装置２０の動作時の損失を冷却水温ｔｗの上昇温度に換算した値を加算値Ｔａｄとし、これを水温センサ４０が検出する冷却水温ｔｗに加算した加算温度ｔｗｂを求める。この損失による上昇温度は、実施の形態１と同様に、両インバータ装置１０，２０において想定される最大損失時の発熱により冷却水温ｔｗが上昇する温度に設定している。
【００６１】
そして、第３温度差演算部４５３ａは、第３インバータ温度センサ４１３が検出した第３インバータ温度ｔｉｎ３と加算温度ｔｗｂとを入力し、両者の差である第３温度差Δｔ３を演算する。
【００６２】
第３異常検出部４５３ｂは、第３温度差Δｔ３が予め設定された第３異常判定温度（ｔｌｉｍ３）よりも大きい場合に異常と判定し、第３温度差Δｔ３が第３異常判定温度（ｔｌｉｍ３）以下の場合は、異常ではないと判定する。なお、この第３異常判定温度ｔｌｉｍ３は、第３回転電機（図示省略）および第３インバータ装置４３０に応じて設定されている。
【００６３】
したがって、実施の形態４では、インバータ装置の数が増加した場合でも、実施の形態１で説明した１）〜３）の効果を得ることができる。
【００６４】
（実施の形態５）
実施の形態５の電力変換装置Ｅは、実施の形態２の変形例であり、図６に示すように、上記の実施の形態４と同様に冷却水路３１の後段に第３インバータ装置５３０を追加した例である。
図６に示す第３コントローラ５５３の温度加算部５５３ｃは、損失分の温度である加算値として、第１コントローラ２５１に設けられた損失演算部５００により演算された加算値Ｔａｄ２を用いる。
【００６５】
また、損失演算部５００は、実施の形態２と同様に、第１インバータ装置１０における電流Ｉ、キャリア周波数ｆ、半導体特性を含む損失演算情報に基づいて加算値Ｔａｄを、演算する。さらに、損失演算部５００は、第２インバータ装置２０における電流Ｉ、キャリア周波数ｆ、半導体特性を含む損失演算情報に基づいて加算値Ｔａｄ２を、演算する。
なお、この加算値Ｔａｄ２の演算は、実施の形態２と同様のテーブルまたは演算式を用いて求めることができる。また、電流Ｉ、キャリア周波数ｆ、半導体特性のいずれかに基づいて加算値Ｔａｄ，Ｔａｄ２を求めることも可能である。
【００６６】
そして、第３温度差演算部５５３ａは、第３インバータ温度センサ５１３が検出した第３インバータ温度ｔｉｎ３と加算値Ｔａｄ２を用いて演算した加算温度ｔｗｂとを入力し、両者の差である第３温度差Δｔ３を演算する。
【００６７】
第３異常検出部５５３ｂは、第３温度差Δｔ３が予め設定された第３異常判定温度（ｔｌｉｍ３）よりも大きい場合に異常と判定し、第３温度差Δｔ３が第３異常判定温度（ｔｌｉｍ３）以下の場合は、異常ではないと判定する。
【００６８】
したがって、実施の形態５では、インバータ装置の数が増加した場合でも、上記2-1）に記載した効果が得られる。
また、このようにインバータ装置の数が増加した場合に、図示は省略するが、第３インバータ装置の異常を検出するのにあたり、実施の形態３と同様の手法を用い、その加算温度ｔｗｂを演算することもできる。すなわち、この場合、第２インバータ装置２０における第２温度差Δｔ２に基づいて推定した値を第３温度差演算部において加算する損失分の温度として用いる。
【００６９】
以上、本発明の電力変換装置の温度異常検出方法および電力変換装置の温度異常検出装置を実施の形態に基づき説明してきたが、具体的な構成については、この実施の形態に限られるものではなく、請求の範囲の各請求項に係る発明の要旨を逸脱しない限り、設計の変更や追加等は許容される。
【００７０】
例えば、実施の形態では、電力を変換して伝送する複数の電力変換部としてインバータ装置を示したが、電力変換部としてはインバータ装置に限らず、コンバータなどの他の電力変換部を用いることもできる。したがって、電力変換部の出力対象としても、実施の形態では、発電電機を示したが、出力対象としては、これに限定されず、例えば、バッテリなど、他のものを用いることができる。
【００７１】
また、冷却流路を流れる冷媒として冷却水を示したが、冷媒としてはこれに限定されず、水以外の液体あるいは気体を用いることができる。
【００７２】
さらに、実施の形態１では、前段の電力変換部の損失分の温度を加算した温度として、第１インバータ装置において想定される最大損失時の水温の上昇温度に設定したが、これに限定されない。例えば、第１発電電機の駆動状態に応じ、その駆動状態での最大損失時の水温の上昇温度としてもよい。すなわち、力行、回生、ロックなどの駆動状態別の最大損失時の上昇温度としてもよい。
【００７３】
また、損失分の上昇温度として、実施の形態２では、各式（１）〜（５）に基づいて求める例を示したが、電力変換部に供給される電流、キャリア周波数、半導体特性を含む損失演算情報に基づいて演算した値であれば、各式（１）〜（５）に限定されるものではない。
また、電力変換部の数は、実施の形態において示した「２」「３」に限らず、４以上設けることもできる。
【図１】
2017203693.tif 000008
【図２】
2017203693.tif 000009
【図３】
2017203693.tif 000010
【図４】
2017203693.tif 000011
【図５】
2017203693.tif 000012
【図６】
2017203693.tif 000013
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
電力を変換して伝送する複数の電力変換部と、前記複数の電力変換部を通り各電力変換部の冷却を行う冷却流路と、を備えた電力変換装置の温度異常検出方法であって、
前記電力変換部の温度を検出するとともに、これら電力変換部よりも上流の前記冷却流路の冷却流体の温度を検出し、
前記複数の電力変換部のうち、前記冷却流路の上流側に配置された前段の電力変換部については、この電力変換部の温度と前記冷却流体の温度との差分に基づいて異常の有無を判定し、
前記前段の電力変換部よりも前記冷却流路の下流に配置された後段の電力変換部については、前記冷却流体の温度に前記前段の電力変換部の損失分を温度に換算して加算した温度と、前記後段の電力変換部の温度と、の差分に基づいて異常の有無を判定することを特徴とする電力変換装置の温度異常検出方法。
【請求項２】
請求項１に記載の電力変換装置の温度異常検出方法において、
前記損失分を換算した温度として、前記前段の電力変換部で想定される最大損失から換算した温度に基づいて設定した値を使用することを特徴とする電力変換装置の温度異常検出方法。
【請求項３】
請求項１に記載の電力変換装置の温度異常検出方法において、
前記損失分を換算した温度として、前記前段の電力変換部における電流、キャリア周波数、半導体特性の少なくともいずれか一つを含む損失演算情報に基づいて演算した値を使用することを特徴とする電力変換装置の温度異常検出方法。
【請求項４】
請求項１に記載の電力変換装置の温度異常検出方法において、
前記損失分を換算した温度として、前記前段の電力変換部の温度と前記冷却流体の温度との差分に基づいて推定した値を使用することを特徴とする電力変換装置の温度異常検出方法。
【請求項５】
電力を変換して伝送する複数の電力変換部と、
前記複数の電力変換部を通り各電力変換部の冷却を行う冷却流路と、
前記複数の電力変換部の温度を検出する電力変換部温度センサと、
前記複数の電力変換部よりも上流の前記冷却流路の冷却流体の温度を検出する冷却流体温度センサと、
前記冷却流体温度と、前記冷却流路の上流側に配置された前段の電力変換部の温度との差分を求める前段温度差演算部と、
前記前段温度差演算部が求めた差分に基づいて異常判定を行う前段電力変換部異常検出部と、
前記前段の電力変換部の損失分を温度に換算して前記冷却流体温度に加算する温度加算部と、
前記温度加算部が算出した温度と、前記前段の電力変換部よりも前記冷却流路の下流に配置された後段の電力変換部の温度との差分を求める後段温度差演算部と、
前記後段温度差演算部が演算した差分に基づいて異常判定を行う後段電力変換部異常検出部と、
を備えることを特徴とする電力変換装置の異常検出装置。
【国際調査報告】
2017203693.tif 000014
2017203693.tif 000015